(57)【要約】      （修正有）【課題】ランプ管をより小型に設計し、これにより超小型Ｔ１型熱陰極蛍光ランプ管を提供する。【解決手段】蛍光ランプ管の両端にそれぞれ配設されるランプフィラメント１０１と、ランプフィラメントがそれぞれ内部に封入される管端部１０２と、管端部を相互接続するとともに管端部の径よりも小さな径を有する管部１０４とを備える。【選択図】図１
2009087926.tif 000002
【特許請求の範囲】
【請求項１】
蛍光ランプ管の両端にそれぞれ配設されるランプフィラメントと、
前記ランプフィラメントがそれぞれ内部に封入される管端部と、
前記管端部を相互接続するとともに前記管端部の径よりも小さい径を有する管部とを備えることを特徴とする新型の蛍光ランプ管
【請求項２】
前記管端部と前記管部とが前記管端部から前記管部にかけて次第に縮径する接続部を介して接続されることを特徴とする請求項１に記載の新型蛍光ランプ管。
【請求項３】
前記管端部の直径が従来の蛍光ランプ管の直径に等しいことを特徴とする請求項１に記載の新型蛍光ランプ管。
【請求項４】
前記管部の直径が２〜１２ｍｍであることを特徴とする請求項１に記載の新型蛍光ランプ管。
【請求項５】
前記管部が、直管型、Ｕ字型、Π字型、Ｈ字型、仏手型、Ｗ型、ＳＬ型、及び螺旋型のランプ管から成る群から選択される形をとることを特徴とする請求項１〜４のいずれか１項に記載の新型蛍光ランプ管。
【発明の詳細な説明】
【技術分野】
【０００１】
本発明は、照明用の蛍光ランプ管に関し、より詳細には、小径の熱陰極蛍光ランプ管に関する。
【背景技術】
【０００２】
蛍光ランプ管は、新しい低圧ガス放電型の電灯光源であり、照明効率が高く、省エネ効果に富み、演色能力が高い等、様々な技術的特徴を有しているゆえに屋内及び屋外の周囲照明に広く適用されている。前世紀の９０年代初頭の登場以来、小型であること、構造が簡単であること、表面輝度が高いこと、温度上昇が小さいこと、種々の形状に加工しやすいこと、寿命が長いこと等の優れた特性ゆえに、冷陰極蛍光ランプはスキャナー等の種々のデバイスにおけるバックライトとして急速且つ広範囲に適用されてきた。日常生活で使用される従来の蛍光ランプは、低圧熱陰極アーク放電ランプであるが、これはその両端においては電極が比較的熱くなる熱陰極蛍光ランプであり、照明効率が高いことが特徴である。しかしながら、既存の熱陰極蛍光ランプ管は、径が一定のガラス管と従来のランプフィラメントから形成されており、ランプ管の外径は一般に６．４ｍｍ（Ｔ２型）を超える。現在の工業レベルではランプフィラメントを組込むことができないのでＴ１型（外径は約３．２ｍｍ）蛍光ランプ管は従来の製造プロセスで実現することはできない。従って、蛍光ランプのランプ管を改良することによってこの課題を克服する余地があろう。
【発明の開示】
【発明が解決しようとする課題】
【０００３】
本発明の目的は、従来のランプフィラメントを使用した超小型Ｔ１型蛍光ランプ管を提供することによって上述の課題を解消することである。
【課題を解決するための手段】
【０００４】
すなわち、上記目的を達成するために本発明が提供する技術的解決は、新型の蛍光ランプ管を公開することであり、これは、蛍光ランプ管の両端にそれぞれ配置されるランプフィラメント、ランプフィラメントがそれぞれ受容される管端部、管端部を接続するとともに管端部の径よりも小さな径を有する管部を備える。
【０００５】
本発明の一実施形態によれば、管端部と管部は、管端部から管部にかけて次第に縮径する接続部によって接続される。
【０００６】
本発明の他の実施形態によれば、管端部の径は、従来の蛍光ランプ管の径に等しい。
【０００７】
本発明のさらに他の実施形態によれば、管部の直径は２ｍｍから１２ｍｍの範囲である。
【０００８】
本発明のさらに他の実施形態によれば、管部は、直管型、Ｕ字型、Π字型、Ｈ字型、仏手型、Ｗ型、ＳＬ型、及び螺旋型のランプ管から成る群から選択される形状をなす。
【発明の効果】
【０００９】
従来技術と比較すると、本発明の効果は下記のようである。管端部は、接続部を介して直接に管部、すなわちＴ１型蛍光ランプ管と接続される。この点で、本発明は、従来技術に勝り、これにより、通常のランプフィラメントを管端部に受容することができ、超小型Ｔ１型蛍光ランプ管を実現することが可能となり、蛍光ランプをより一層小型に設計することが可能となり、蛍光ランプの小型化を実現できる。
【発明を実施するための最良の形態】
【００１０】
本発明は、添付の図面によりさらに詳細に説明される。
図１は、本発明の第１実施形態の概略図である。
図２は、本発明の第２実施形態の概略図である。
図３は、本発明の第３実施形態の概略図である。
【００１１】
［実施形態１］
図１を参照すると、本発明の蛍光ランプ管は、ランプフィラメント１０１が封入される管端部１０２と、管端部から管部にかけて次第に縮径する接続部１０３を介して管端部１０２と接続されるU字型管部１０４とを備えており、U字型管部１０４の直径は２〜１２ｍｍの範囲であり、管端部１０２の直径は従来の蛍光ランプ管の直径と等しく、且つU字型管部１０４の直径よりも大きいが、直径の値は求めに応じて決定されうる。ここで、U字型管部１０４は実質的に発光部位であり、管端部１０２とU字型管部１０４は両者ともガラス管で形成される。
【００１２】
［実施形態２］
図２を参照すると、本発明の蛍光ランプ管は、ランプフィラメント２０１が封入される管端部２０２と、管端部から管部にかけて次第に縮径する接続部２０３を介して管端部２０２に接続される螺旋型管部２０４とを備えており、螺旋型管部２０４の直径は２〜１２ｍｍの範囲であり、管端部２０２の直径は従来の蛍光ランプ管の直径と等しく、且つ螺旋型管部の直径よりも大きいが、直径の値は求めに応じて決定されうる。ここで螺旋型管部２０４は実際の発光部位であり、管端部２０２と螺旋型管部２０４は両者ともガラス管で形成される。
【００１３】
［実施形態３］
図３を参照すると、本発明の蛍光ランプ管は、ランプフィラメント３０１が封入される管端部３０２と、管端部から管部にかけて次第に縮径する接続部３０３を介して管端部３０２と接続される直管型管部３０４とを備えており、直管型管部３０４の直径は２〜１２ｍｍの範囲であり、管端部３０２の直径は従来の蛍光ランプ管の直径と等しく、且つ直管型管部３０４の直径よりも大きいが、直径の値は求めに応じて決定されうる。ここで、直管型管部３０４は発光部位であり、管端部３０２と直管型管部３０４は両者ともガラス管で形成される。
【００１４】
上述の実施形態は、本発明を単に例示するために説明したものであってその構成を限定するものではない。本発明の管部は、直管型、Ｕ字型、Π字型、Ｈ字型、仏手型、Ｗ型、ＳＬ型、及び螺旋型のランプ管からなる群から採用されうる。本発明の蛍光ランプ管により、超小型Ｔ１型の蛍光ランプが実現でき、蛍光ランプをより小型に設計し製造することが可能となる。
【００１５】
実際のところ、本発明は他の実施形態をとりうる。当業者は、本出願の基本的な発明思想に基づき、各種相応の変更を加えることが可能である。しかしながら、関連する変更や形状における変形は本出願の権利保護の範囲に属するものである。
【図面の簡単な説明】
【００１６】
【図１】図１は、本発明の第１実施形態の概略図である。
【図２】図２は、本発明の第２実施形態の概略図である。
【図３】図３は、本発明の第３実施形態の概略図である。
【図１】
2009087926.tif 000003
【図２】
2009087926.tif 000004
【図３】
2009087926.tif 000005
【外国語明細書】
Fluorescent lamp tube
TECHNICAL FIELD
The present invention relates to a fluorescent lamp tube for illumination, and more particularly to a hot cathode fluorescent lamp tube of a small diameter.
BACKGROUND OF THE INVENTION
A fluorescent lamp tube is a new, low pressure gas discharge type of electric light source, which is widely adapted for indoor and outdoor ambient lighting for various technical features it possessed, such as high in lighting efficiency, great in energy saving and color developing ability, and the like. Since its debut in early 90's of the last century, due to its excellent characteristics - such as small in size, simple in configuration, high in surface brightness, low in temperature rise, easy to process into various shapes and long in lifespan - the cold cathode fluorescent lamps have been quickly and widely adopted as backlights in various devices, such as scanners. A conventional fluorescent lamp used in our daily life is a low pressure hot cathode arc discharge lamp, wherein at both ends of which the electrodes are relatively hot; as a hot cathode fluorescent lamp, it is characterized by its high lighting efficiency. However, the existing hot cathode fluorescent lamp tubes are formed from glass tubes of uniform diameter and conventional lamp filaments, wherein the outer diameter of the lamp tubes are generally over 6.4 mm (T2-type). T1-type (with outer diameter around 3.2mm) fluorescent lamp tubes cannot be realized with conventional manufacturing process as the lamp filaments cannot be adapted to it at the current engineering level, whereby one might only attempt to break through the issue by modifying the lamp tube of the fluorescent lamp. 
SUMMARY OF THE INVENTION
An object of the present invention is to overcome the above defects by providing a super compact T1-type fluorescent lamp tube employing the existing lamp filaments.
Accordingly, the technical solution of the present invention provided for the above object being a new type of fluorescent lamp tube, which comprises lamp filaments arranged respectively at both ends of the fluorescent lamp tube; tube end portions in which the lamp filaments are enclosed respectively; and a tube portion interconnecting the tube end portions and having a diameter smaller than that of the tube end portions.. 
According to an embodiment of the present invention, the tube end portion and the tube portion being connected via a connecting portion having a diameter gradually diminished from the tube end portion to the tube portion. 
According to another embodiment of the present invention, the diameter of tube end portion equals to that of a conventional fluorescent lamp tube.
According to still another embodiment of the present invention, the diameter of the tube portion ranges from 2 mm to 12 mm.
According to yet still another embodiment of the present invention, the tube portion is in a form selected from a group consisting of linear type, U-type, П-type, H-type, Buddha's Hand-type, W-type, SL-type, and spiral type of lamp tube.
Compared with the prior art, the advantageous effect of the present invention lies in that: via a connecting portion the tube end portion can directly connect with the tube portion, namely a T1-type fluorescent lamp tube. In this regard, the present invention surpasses the conventional technologies, and by means of which normal lamp filaments can be received thereinto and a super compact T1-type fluorescent lamp tube becomes possible, whereby a fluorescent lamp can be devised to be more compact, then the miniaturization of the fluorescent lamp is realized.
BRIEF DESCRIPTION OF THE DRAWINGS
The present invention will be described in further details with reference to the accompany drawings.
Figure 1 is a prospective view of the first embodiment of the present invention.
Figure 2 is a prospective view of the second embodiment of the present invention.
Figure 3 is a prospective view of the third embodiment of the present invention.
DETAILED DESCRIPTION OF THE PREFERRED EMBODIMENTS
Embodiment 1:
Referring to fig. 1, a fluorescent lamp tube of the present invention comprises a tube end portion 102 in which a lamp filament 101 is enclosed, a U-type tube portion 104 connects with the tube end portion 102 via a connecting portion 103 which is gradually reduced from the tube end portion to the tube portion, wherein the diameter of the U-type tube portion 104 is in the range of 2-12 mm, and the diameter of the tube end portion 102 equals to that of a conventional fluorescent lamp tube and is greater than that of the U-type tube portion 104, while the value of the diameter might be determined as required. Wherein, the U-type tube portion 104 is substantially the luminescent component thereof, and both the tube end portion 102 and U-type tube portion 104 are formed from glass tubes.
Embodiment 2:
Referring to fig. 2, a fluorescent lamp tube of the present invention comprises a tube end portion 202 in which a lamp filament 201 is enclosed, a spiral type tube portion 204 connects with the tube end portion 202 via a connecting portion 203 which is gradually reduced from the tube end portion to the tube portion, wherein the diameter of the spiral type tube portion 204 is in the range of 2-12 mm, while the diameter of the tube end portion 202 equals to that of a conventional fluorescent lamp tube and is greater than that of the spiral type tube portion 204, and the value of the diameter might be determined as required. Wherein the spiral type tube portion 204 is the actual luminescent portion, and both the tube end portion 202 and spiral type tube portion 204 are formed from glass tubes.
Embodiment 3:
Referring to fig. 3, a fluorescent lamp tube of the present invention comprises a tube end portion 302 in which a lamp filament 301 is enclosed, a linear type tube portion 304 connects with the tube end portion 302 via a connecting portion 303 which is gradually reduced from the tube end portion to the tube portion, wherein the diameter of the linear type tube portion 304 is in the range of 2-12 mm, while the diameter of the tube end portion 302 equals to that of a conventional fluorescent lamp tube and is greater than that of the linear type tube portion 304, and the value of the diameter might be determined as required. The linear type tube portion 304 is the luminescent portion, and the tube end portion 302 and linear type tube portion 304 both are formed from glass tubes.
It should be appreciated that the above embodiments are merely provided for illustrating but not limiting the design claimed by the present invention. The tube portion of the present invention might be in a form selected from a group consisting of linear type, U-type, П-type, H-type, Buddha's Hand-type, W-type, SL-type, and spiral type of fluorescent lamp tube. With the fluorescent lamp tube of the present invention, the manufacturing of a super compact T1-type fluorescent lamp could be realized, and the fluorescent lamp could be devised and manufactured to be more compact. 
Actually, the present invention can have other types of embodiments. The ordinary technical persons who have skills in the present field can make different types of corresponding amendments according to the basic inventive ideas of this application. However, the related changes or alternations in shapes would still falll within the protection scope of the application.
What is claimed is: 
1. A new type of fluorescent lamp tube, comprising:
lamp filaments arranged respectively at both ends of the fluorescent lamp tube; 
tube end portions in which the lamp filaments are enclosed respectively; and 
a tube portion interconnecting the tube end portions and having a diameter smaller than that of the tube end portions. 
2. A new type of fluorescent lamp tube as claimed by claim 1, wherein the tube end portion and the tube portion are connected via a connecting portion having a diameter gradually diminished from the tube end portion to the tube portion.
3. A new type of fluorescent lamp tube as claimed by claim 1, wherein the diameter of tube end portion equals to that of a conventional fluorescent lamp tube. 
4. A new type of fluorescent lamp tube as claimed by claim 1, wherein the diameter of the tube portion is 2-12 mm.
A new type of fluorescent lamp tube as claimed by any one of claims 1-4, wherein the tube portion is in a form selected from a group consisting of linear type, U-type, П-type, H-type, Buddha's Hand-type, W-type, SL-type, and spiral type of lamp tube.
Abstract
The present invention relates to a new type of fluorescent lamp tube for illumination, comprising lamp filaments arranged respectively at both ends of the fluorescent lamp tube; tube end portions in which the lamp filaments are enclosed respectively; and a tube portion interconnecting the tube end portions and having a diameter smaller than that of the tube end portions. The present invention breaks through the prior art, such that the lamp tube can be devised to be more compact, whereby realizing a T1-type hot cathode fluorescent lamp.
2009087926.tif 000006
2009087926.tif 000007
2009087926.tif 000008